(57)【要約】【課題】移動局装置における負荷を増大させることなく、リソースの有効利用が可能なＭＢＭＳ送信をする。【解決手段】基地局装置と移動局装置とを含み、ＭＢＭＳ（Multimedia Broadcast Multicast Service）を提供する無線通信システムであって、前記基地局装置は、ＭＢＭＳを要求する移動局装置の数を集計するメッセージを配下の移動局装置に対して送信し、前記移動局装置のうち、ＭＢＭＳを要求する移動局装置は、前記メッセージに対する応答メッセージに自局のセル内位置情報を付加し、前記セル内位置情報が付加した応答メッセージを前記基地局装置に対して送信する。【選択図】図１
2011061591.tif 000002
【特許請求の範囲】
【請求項１】
基地局装置と移動局装置とを含み、ＭＢＭＳ（Multimedia Broadcast Multicast Service）を提供する無線通信システムであって、
前記基地局装置は、ＭＢＭＳを要求する移動局装置の数を集計するメッセージを配下の移動局装置に対して送信し、
前記移動局装置のうち、ＭＢＭＳを要求する移動局装置は、前記メッセージに対する応答メッセージに自局のセル内位置情報を付加し、前記セル内位置情報が付加した応答メッセージを前記基地局装置に対して送信することを特徴とする無線通信システム。
【請求項２】
基地局装置と移動局装置とを含み、ＭＢＭＳ（Multimedia Broadcast Multicast Service）を提供する無線通信システムであって、
前記基地局装置は、ＭＢＭＳを要求する移動局装置の数を集計するメッセージに移動局装置のセル内位置の閾値情報を付加し、前記閾値情報が付加したメッセージを配下の移動局装置に対して送信し、
前記移動局装置のうち、ＭＢＭＳを要求する移動局装置は、前記セル内位置の閾値情報と自局のセル内位置とに基づいて、前記メッセージに対する応答を行なうか否かを判断することを特徴とする無線通信システム。
【請求項３】
前記基地局装置は、前記移動局装置から前記応答メッセージを受信し、セル内位置毎にＭＢＭＳを要求する移動局装置の数を集計し、前記セル内位置毎に決定されたＭＢＭＳ提供方法に基づいて、前記移動局装置に対してＭＢＭＳを提供することを特徴とする請求項１または請求項２記載の無線通信システム。
【請求項４】
前記基地局装置は、ＭＢＭＳを要求する移動局装置に対して、前記ＭＢＭＳ提供方法を通知するためのメッセージを送信し、
前記移動局装置は、前記ＭＢＭＳ提供方法を通知するためのメッセージに複数のＭＢＭＳ提供方法が含まれている場合は、自局のセル内位置情報に基づいて、ＭＢＭＳ提供方法を選択することを特徴とする請求項３記載の無線通信システム。
【請求項５】
前記ＭＢＭＳ提供方法は、ＭＢＳＦＮ（Multicast/Broadcast over Single Frequency Network）、ＳＣ−ＰＴＰ（Single Cell-Point To Point）、ＳＣ−ＰＴＭ（Single Cell-Point To Multipoint）、ＭＣ−ＰＴＭ（Multi Cell-Point To Multipoint）のいずれかであることを特徴とする請求項４記載の無線通信システム。
【請求項６】
前記セル内位置情報は、セル中心付近とセル端付近とを表わす２値の情報であることを特徴とする請求項１または請求項２記載の無線通信システム。
【請求項７】
前記セル内位置情報は、ＲＳＲＰ（Reference Signal Received Power）、またはパスロス値のいずれかであることを特徴とする請求項１または請求項２記載の無線通信システム。
【請求項８】
基地局装置と移動局装置とを含み、ＭＢＭＳ（Multimedia Broadcast Multicast Service）を提供する無線通信システムに適用される基地局装置であって、
ＭＢＭＳを要求する移動局装置の数を集計するメッセージを配下の移動局装置に対して送信し、
前記移動局装置から前記メッセージに対応する応答メッセージを受信し、前記移動局装置のセル内位置毎にＭＢＭＳを要求する移動局装置の数を集計し、前記セル内位置毎に決定されたＭＢＭＳ提供方法に基づいて、前記移動局装置に対してＭＢＭＳを提供することを特徴とする基地局装置。
【請求項９】
移動局装置のセル内位置情報に対応付けられた少なくとも一つのＭＢＭＳ提供方法を通知するためのメッセージを含む送信信号を生成する送信信号処理部と、
前記生成した送信信号を前記移動局装置に対して送信する送信部と、を備えることを特徴とする請求項８記載の基地局装置。
【請求項１０】
基地局装置と移動局装置とを含み、ＭＢＭＳ（Multimedia Broadcast Multicast Service）を提供する無線通信システムに適用される移動局装置であって、
前記基地局装置から、ＭＢＭＳを要求する移動局装置の数を集計するメッセージを受信し、ＭＢＭＳを要求する場合は、前記メッセージに対する応答メッセージに自局のセル内位置情報を付加し、前記セル内位置情報が付加した応答メッセージを前記基地局装置に対して送信することを特徴とする移動局装置。
【請求項１１】
前記基地局装置から、ＭＢＭＳを要求する移動局装置の数を集計するメッセージを受信した場合に、前記メッセージに対応する応答メッセージに自局のセル内位置情報を付加するカウンティング応答信号生成部を備えることを特徴とする請求項１０記載の移動局装置。
【請求項１２】
前記基地局装置から、ＭＢＭＳを要求する移動局装置の数を集計するメッセージを受信した場合に、自局のセル内位置情報に基づいて、前記メッセージに対応する応答メッセージを送信するか否かを判断するカウンティング応答信号生成部を備えることを特徴とする請求項１０記載の移動局装置。
【請求項１３】
前記基地局装置から、移動局装置のセル内位置情報に対応付けられた少なくとも一つのＭＢＭＳ提供方法を通知するためのメッセージを含む送信信号を受信した場合、自局のセル内位置情報に基づいて、前記ＭＢＭＳ提供方法を選択することを特徴とする請求項１０から請求項１１のいずれかに記載の移動局装置。
【請求項１４】
基地局装置と移動局装置とを含み、ＭＢＭＳ（Multimedia Broadcast Multicast Service）を提供する無線通信システムの通信方法であって、
前記基地局装置において、ＭＢＭＳを要求する移動局装置の数を集計するメッセージを配下の移動局装置に対して送信するステップと、
前記移動局装置のうち、ＭＢＭＳを要求する移動局装置において、前記メッセージに対する応答メッセージに自局のセル内位置情報を付加するステップと、
前記セル内位置情報が付加した応答メッセージを前記基地局装置に対して送信するステップと、を少なくとも含むことを特徴とする通信方法。
【請求項１５】
基地局装置と移動局装置とを含み、ＭＢＭＳ（Multimedia Broadcast Multicast Service）を提供する無線通信システムの通信方法であって、
前記基地局装置において、ＭＢＭＳを要求する移動局装置の数を集計するメッセージに移動局装置のセル内位置の閾値情報を付加するステップと、
前記閾値情報が付加したメッセージを配下の移動局装置に対して送信するステップと、
前記移動局装置のうち、ＭＢＭＳを要求する移動局装置において、前記セル内位置の閾値情報と自局のセル内位置とに基づいて、前記メッセージに対する応答を行なうか否かを判断するステップと、を少なくとも含むことを特徴とする通信方法。
【発明の詳細な説明】
【技術分野】
【０００１】
本発明は、複数のサブキャリアを用いて通信を行なう移動通信システム、移動局装置、基地局装置および無線通信方法に関し、特に、ＭＢＭＳ（Multimedia Broadcast Multicast Service）の通信方法に関する。
【背景技術】
【０００２】
３ＧＰＰ（3rd Generation Partnership Project：第３世代パートナーシッププロジェクト）において第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）、更にその発展形であるＡｄｖａｎｃｅｄ  ＥＵＴＲＡ（LTE-Advancedとも呼ばれる。以降A-EUTRAと称する）の検討が進められている（非特許文献１）。
【０００３】
図１２は、ＥＵＴＲＡにおける下りリンクの無線フレームの構成の一例を示す図である。図１２では、無線フレームを、横軸に時間軸をとり、縦軸に周波数軸をとって示している。無線フレームは、周波数軸を１２サブキャリア（sc）、時間軸を複数のＯＦＤＭシンボルの集合であるスロットを一単位として構成され、１２サブキャリアと１スロット長で区切られた領域をリソースブロックと呼ぶ。２つのスロットをまとめたものをサブフレームと呼び、更に１０個のサブフレームをまとめたものをフレームと呼ぶ。周波数方向には複数のリソースブロックが連続して配置され、ＢＷ＝２０ＭＨｚ帯域幅では１００リソースブロックが配置される。その両端には隣接する帯域への輻射を防止するために信号が送信されないガードバンドが配置される。
【０００４】
図１２において凡例で示す通り、＃０、＃５サブフレームには、基地局との同期に用いるプライマリ同期チャネル（P-SCH）、セカンダリ同期チャネル（S-SCH）、およびプライマリ報知情報チャネル（P-BCH）が含まれる。移動局装置は、Ｐ−ＳＣＨとＳ−ＳＣＨを用いてフレーム同期を確立すると共に、基地局装置を識別するための物理セルＩＤ（PCI:Physical Cell Identification）を特定する。また移動局装置は、Ｐ−ＢＣＨに含まれる報知情報（MIB(Master Information Block)）を復調することで送信アンテナポート数などの主要なパラメータを取得し、その他の報知情報を下りリンク共有チャネル（DL-SCH）に配置される動的報知チャネル（D-BCH）から取得する。Ｄ−ＢＣＨに含まれる報知情報は、情報の種類により複数のブロックに分けられ、それぞれＳＩＢ（System Information Block）と呼ばれる単位で、個別の周期で報知される。
【０００５】
さらに、各サブフレームの先頭には可変長（１〜４OFDMシンボル）の下りリンク制御チャネル（PDCCH）が含まれる。ＰＤＣＣＨに使われるＯＦＤＭシンボル数は各サブフレーム先頭に配置されるＰＣＦＩＣＨと呼ばれる信号で判断する。更に、図示していないが、各リソースブロックには復調および受信品質測定に必要な参照信号（下りリンクリファレンス信号、DL-RS）が含まれる。移動局装置は参照信号を用いて受信品質の測定や、ＰＤＣＣＨの伝播路補償を行ない、ＰＤＣＣＨに自局宛のデータ割り当てがあった場合、ＰＤＣＣＨ以降のＯＦＤＭシンボルに含まれるＰＤＳＣＨを復調し、自局宛のデータを取得する。
【０００６】
また、上記通信システムにおいて特定地域に存在する複数の移動局装置に対して同一データを提供するＭＢＭＳが規定されている。ＭＢＭＳは、マルチキャストサービスとブロードキャストサービスとがあり、通常、前者は特定のサービスに対して登録・加入したユーザ向けに提供するサービスであり、後者は当該特定地域内に存在するすべてのユーザに対して提供するサービスである。ＭＢＭＳの提供方法としては非特許文献２で示されるように、ＭＢＳＦＮ（Multicast/Broadcast over Single Frequency Network）、ＳＣ−ＰＴＰ（Single Cell-Point To Point）、ＳＣ−ＰＴＭ（Single Cell-Point To Multipoint）、ＭＣ−ＰＴＭ（Multi Cell-Point To Multipoint）などがある。
【０００７】
ＭＢＳＦＮは、複数の隣接する基地局装置が同一サブフレームを用いて同一の信号をブロードキャストするものである。サービスの提供を受ける移動局装置が多い場合にオーバヘッドが小さくなる利点がある。ＳＣ−ＰＴＰは、ＭＢＭＳの提供を受ける移動局装置が少ない場合やＭＢＳＦＮでブロードキャストされる地域から離れる際にサービスを継続したい場合などで用いられ、移動局装置毎にユーザ宛のデータとしてＰＤＳＣＨを用いて送信されるものである。サービスの提供を受ける移動局装置が少ない場合や、サービスの提供を受ける複数の移動局装置間の受信品質の差が大きい場合などに有効である。ＰＴＭは、ＭＢＭＳの提供を受ける複数の移動局装置が、同程度の受信品質となるグループを形成できる場合などで用いられ、前記グループに対してグループ宛のデータとしてＰＤＳＣＨなどを用いて最適な送信パラメータ（変調方式、符号化率など）を用いて送信されるものである。ＰＴＭは、１つのセルのみが送信を行なうＳＣ−ＰＴＭと、複数のセルから送信を行なうＭＣ−ＰＴＭとが含まれる。
【０００８】
ＥＵＴＲＡではＲｅｌｅａｓｅ９においてＭＢＳＦＮを用いたＭＢＭＳの提供が行なわれる。さらにＲｅｌｅａｓｅ１０（A-EUTRA）ではＰＴＭやＳＣ−ＰＴＰの利用も検討されている。ＰＴＭ（point-to-multipoint）については、現状のＵＭＴＳ（Universal Mobile Telecommunications System）のＲｅｌｅａｓｅ６以降において導入されており、Ｒｅｌｅａｓｅ８における動作概要については非特許文献３に、ＲＲＣ（Radio Resource Control）の詳細な動作については、非特許文献４にそれぞれ記載されている。Ａ−ＥＵＴＲＡにおいてもこの仕組みをベースに検討が行なわれている。
【０００９】
ＵＭＴＳにおいてＭＢＭＳをＰＴＭで提供する際に使われているチャネルは、論理チャネル（Logical Channel）として、ＭＢＭＳ  ｐｏｉｎｔ−ｔｏ−ｍｕｌｔｉｐｏｉｎｔ  Ｔｒａｆｆｉｃ  Ｃｈａｎｎｅｌ（MTCH）、ＭＢＭＳ  ｐｏｉｎｔ−ｔｏ−ｍｕｌｔｉｐｏｉｎｔ  Ｃｏｎｔｒｏｌ  Ｃｈａｎｎｅｌ（MCCH）、ＭＢＭＳ  ｐｏｉｎｔ−ｔｏ−ｍｕｌｔｉｐｏｉｎｔ  Ｓｃｈｅｄｕｌｉｎｇ  Ｃｈａｎｎｅｌ（MSCH）の３つがＭＢＭＳ用に定義されている。ここで、ＭＴＣＨは、ＭＢＭＳのデータを伝送するチャネルであり、データチャネルである。また、ＭＣＣＨは、ＭＢＭＳを提供するための制御情報を含むチャネルであり、制御チャネルである。さらに、ＭＳＣＨは、ＭＴＣＨのスケジューリング情報を伝送するチャネルであり、制御チャネルである。
【００１０】
次に、トランスポートチャネルは、Ｆｏｒｗａｒｄ  Ａｃｃｅｓｓ  Ｃｈａｎｎｅｌ（FACH）が前記３つのＬｏｇｉｃａｌ  Ｃｈａｎｎｅｌを伝送するために用いられている。最後に、物理チャネルは、Ｓｅｃｏｎｄａｒｙ  ＣｏｍｍｏｎＣｏｎｔｒｏｌ  Ｐｈｙｓｉｃａｌ  Ｃｈａｎｎｅｌ（S-CCPCH）が前記ＦＡＣＨを伝送するために使用される。
【００１１】
以下、主にレイヤ２、レイヤ３について説明する。ＭＣＣＨのメッセージには、後述するカウンティング（Counting）に用いられるＭＢＭＳ  Ａｃｃｅｓｓ  Ｉｎｆｏｒｍａｔｉｏｎと、セル間で共通の設定情報であるＭＢＭＳ  Ｃｏｍｍｏｎ  ＰＴＭ  ＲＢ  Ｉｎｆｏｒｍａｔｉｏｎと、自セルでの設定情報であるＭＢＭＳ  Ｃｕｒｒｅｎｔ  Ｃｅｌｌ  ＰＴＭ  ＲＢ  Ｉｎｆｏｒｍａｔｉｏｎと、隣接セルの設定情報であるＭＢＭＳ  Ｎｅｉｇｈｂｏｕｒｉｎｇ  Ｃｅｌｌ  ＰＴＭ  ＲＢ  Ｉｎｆｏｒｍａｔｉｏｎと、一般的なＭＢＭＳ設定情報などが含まれるＭＢＭＳ  Ｇｅｎｅｒａｌ  Ｉｎｆｏｒｍａｔｉｏｎと、変更が生じたサービスに関する情報が含まれるＭＢＭＳ  Ｍｏｄｉｆｉｅｄ  Ｓｅｒｖｉｃｅｓ  Ｉｎｆｏｒｍａｔｉｏｎと、変更が生じなかったサービスに関する情報が含まれるＭＢＭＳ  Ｕｎｍｏｄｉｆｉｅｄ  Ｓｅｒｖｉｃｅｓ  Ｉｎｆｏｒｍａｔｉｏｎとがある。
【００１２】
上述のＭＣＣＨのメッセージを移動局装置が受信し、設定を行なうことにより、実際にデータを伝送するＭＴＣＨ、またはＭＴＣＨのスケジューリング情報を伝送するＭＳＣＨを受信できるようになる。
【００１３】
次に、Ｎｏｔｉｆｉｃａｔｉｏｎおよびカウンティングについて説明する。ＭＢＭＳは、常にサービスが提供されているわけではなく、定期的、または不定期にサービスが提供される。このようなサービスに対応するためには、ユーザの興味があるサービスの提供をネットワークが開始することを移動局装置に通知する必要がある。この動作がＮｏｔｉｆｉｃａｔｉｏｎである。Ｎｏｔｉｆｉｃａｔｉｏｎには、上記のＭＣＣＨで定義されているＭＢＭＳ  Ｍｏｄｉｆｉｅｄ  Ｓｅｒｖｉｃｅｓ  ＩｎｆｏｒｍａｔｉｏｎやＭＢＭＳ  Ｕｎｍｏｄｉｆｉｅｄ  Ｓｅｒｖｉｃｅｓ  Ｉｎｆｏｒｍａｔｉｏｎを移動局装置が直接確認することにより、移動局装置が要求するサービスを提供しているかを確認するものと、ＭＢＭＳ  Ｉｎｄｉｃａｔｏｒ  Ｃｈａｎｎｅｌ（MICH）を確認することにより、上記ＭＢＭＳ  Ｍｏｄｉｆｉｅｄ  Ｓｅｒｖｉｃｅｓ  Ｉｎｆｏｒｍａｔｉｏｎなどを確認する必要があるか否かを判断し、必要がある場合にのみ確認を行なうものとがある。
【００１４】
さらに、ネットワークはＭＢＭＳとして提供されるサービスのうち、提供の必要の有無、およびそのサービスの提供方法を、以下に示すカウンティングを行なうことにより決定することができる。
【００１５】
まず、ネットワークは移動局装置に対して、これから提供するサービスに対してカウンティングを行なうための情報として周期的に送信される上記ＭＢＭＳ  ＡＣＣＥＳＳ  ＩＮＦＯＲＭＡＴＩＯＮの中にＰｒｏｂａｂｉｌｉｔｙ  ｆａｃｔｏｒと呼ばれるパラメータを含める。Ｐｒｏｂａｂｉｌｉｔｙ  ｆａｃｔｏｒはアイドル状態の移動局装置向けの値と接続状態の移動局装置向けの値とが個別に設定される場合もあるし両方の状態で一つの値を用いる場合もある。さらに、ＭＢＭＳ  Ｍｏｄｉｆｉｅｄ  Ｓｅｒｖｉｃｅｓ  Ｉｎｆｏｒｍａｔｉｏｎにカウンティング情報取得を促す信号（acquire Counting Info）を含めることにより、移動局装置にＭＢＭＳ  ＡＣＣＥＳＳ  ＩＮＦＯＲＭＡＴＩＯＮを取得するよう促す。以下の説明では上記のカウンティングを行なうためのメッセージ送信を総じてカウンティング信号と呼称する。
【００１６】
前記Ｐｒｏｂａｂｉｌｉｔｙ  ｆａｃｔｏｒは、特定のサービスを要求する全ての移動局装置が応答することによりおこる回線の輻輳を防ぐためのパラメータである。具体的には、特定のサービスを要求する移動局装置のうち、生成した乱数が、上記Ｐｒｏｂａｂｉｌｉｔｙ  ｆａｃｔｏｒ以下の値となった移動局装置のみが応答する。特定のサービスを要求する移動局装置のうち、ＭＢＭＳ  ＡＣＣＥＳＳ  ＩＮＦＯＲＭＡＴＩＯＮから取得したＰｒｏｂａｂｉｌｉｔｙ  ｆａｃｔｏｒに基づいて応答した移動局装置をネットワークが認識することにより、ネットワークは、このセルにそのサービスを提供する必要があることが分かる。なお、移動局装置からの応答がない場合には、ネットワークはＰｒｏｂａｂｉｌｉｔｙ  ｆａｃｔｏｒをより大きな値に変更して、より多くの移動局装置が応答できるようにする。
【００１７】
ネットワークは、次にどのようにサービスを提供するかを決定する。例えば、Ｍｕｌｔｉｃａｓｔは複数の移動局装置に対して同じ情報を送信するため、セルエッジ（セル端）に存在するような移動局装置を考慮して、高い電力で送信する必要がある。しかし、特定のサービスを要求する移動局装置が少ない場合には、個々の移動局装置に対してそれぞれ同じ情報を送信した方がよい場合がある。例えばネットワークは、４台以上移動局装置が存在する場合には、Ｓ−ＣＣＰＣＨにマッピングされたＦＡＣＨを利用してＰＴＭで提供し、４台未満の場合には、ＤＬ−ＤＰＤＣＨ（Down Link-Dedicated Physical Data  Channel）にマッピングされたＤＣＨ（Dedicated Channel）を利用して個別にＰＴＰで提供する。すなわち、ＵＭＴＳでは、ネットワークはサービスの提供を要求する移動局装置の数をカウンティングによって確認し、ＭＢＭＳ提供方法の切り替えを行なっている。
【００１８】
また、特許文献１では、ＰＴＭでＭＢＭＳを提供する際に、受信状態の悪い移動局装置が存在する場合、ＰＴＭでの提供を続けつつ、前記受信状態の悪い移動局装置向けには個別にＳＣ−ＰＴＰで提供を行なうことが提案されている。さらにはＳＣ−ＰＴＰで提供を行なう移動局装置数が一定数を超える場合にはＰＴＭの送信電力を高くしてＳＣ−ＰＴＰでの提供を必要とする移動局数を減らすことも提案されている。すなわち、二つの提供方法（PTMとSC-PTP）を、受信する移動局装置におけるＰＴＭの受信状態に基づいて適切に設定する手法が提案されている。
【先行技術文献】
【特許文献】
【００１９】
【特許文献１】特開２００６−１３５９５６
【非特許文献】
【００２０】
【非特許文献１】3GPP TR36.913,Requirements for Further Advancements for E-UTRA.V8.0.0http://www.3gpp.org/ftp/Specs/html-info/36913.htm
【非特許文献２】Alcatel-Lucent,R2-080983,3GPP TSG-RAN2 Meeting #61,Sorrento,Italy,Feb 11-15,2008
【非特許文献３】3GPP TS25.346,V8.3.0http://www.3gpp.org/ftp/Specs/html-info/25346.htm
【非特許文献４】3GPP TS25.331,V8.7.0http://www.3gpp.org/ftp/Specs/html-info/25331.htm
【発明の概要】
【発明が解決しようとする課題】
【００２１】
図１３は、無線通信システムの概略構成を示す図である。上記のように、ＵＭＴＳでは、ＭＢＭＳはサービスを要求する移動局装置の数によって提供方法を切り換えることができる。しかしながら、図１３で示すようにセルの中心付近の移動局装置１Ａ、１Ｂ、１Ｃとセル端の移動局装置１Ｄが存在する場合には（以下、移動局装置(1A〜1D)を移動局装置１と表す）、移動局装置１の数でＰＴＭでの提供となるが、セル端の移動局装置１Ｄでも受信可能なようにノイズに強い変調・符号化方式や高い電力で送る必要があり、無線リソースや電力に無駄が生じてしまう。
【００２２】
また、特許文献１において、サービスセル内のＭＢＭＳの受信を希望する移動局装置１の数と、サービスセル内のＭＢＭＳの受信を希望する移動局装置１の配置の把握は、まず基地局装置３がＭＢＭＳの受信を希望するサービスセル内の移動局装置１に対して、ＰＴＭでＭＢＭＳの送信を行ない、移動局装置１から基地局装置３へ送信された前記ＭＢＭＳの受信状態の情報に基づいて行なわれる。
【００２３】
しかしながら、サービスセル内のＭＢＭＳの受信を希望する移動局装置１の数と、サービスセル内のＭＢＭＳの受信を希望する移動局装置１の配置の把握の為だけに、多くの通信リソースを使用するＰＴＭで送られたＭＢＭＳを用いることになり、通信リソースの利用効率の劣化や、移動局装置１での処理の増大という問題を生じさせた。
【００２４】
本発明は、上記問題点に鑑み、サービスセル内のＭＢＭＳの受信を希望する移動局の数と、サービスセル内のＭＢＭＳの受信を希望する移動局の配置を、より簡便な方法で把握できるようにすることで、通信リソースの利用効率の劣化や、移動局装置での処理の増大という問題を回避する無線通信システム、基地局装置、移動局装置および通信方法を提供することを目的としている。
【課題を解決するための手段】
【００２５】
（１）上記の目的を達成するために、本発明は、以下のような手段を講じた。すなわち、本発明の無線通信システムは、基地局装置と移動局装置とを含み、ＭＢＭＳ（Multimedia Broadcast Multicast Service）を提供する無線通信システムであって、前記基地局装置は、ＭＢＭＳを要求する移動局装置の数を集計するメッセージを配下の移動局装置に対して送信し、前記移動局装置のうち、ＭＢＭＳを要求する移動局装置は、前記メッセージに対する応答メッセージに自局のセル内位置情報を付加し、前記セル内位置情報が付加した応答メッセージを前記基地局装置に対して送信することを特徴とする。
【００２６】
このように、ＭＢＭＳを要求する移動局装置がメッセージに対する応答メッセージに自局のセル内位置情報を付加し、セル内位置情報が付加した応答メッセージを基地局装置に対して送信するので、移動局装置のセル内位置に基づき適切なＭＢＭＳの提供を行なうことが可能となり、無線リソースの有効利用が可能となる。また、移動局装置で必要な処理は、従来から常に測定している下りリンクリファレンス信号の受信電力に基づいた信号をカウンティング応答に付加し、Ｎｏｔｉｆｉｃａｔｉｏｎの提供方法選択に利用するのみであるため、複雑な処理を必要とせず、電力消費の増加を抑えることができる。さらに、サービスを要求する移動局装置がセル中心付近に多い場合においても、最適な送信パラメータを提供することが可能となる。
【００２７】
（２）また、本発明の無線通信システムは、基地局装置と移動局装置とを含み、ＭＢＭＳ（Multimedia Broadcast Multicast Service）を提供する無線通信システムであって、前記基地局装置は、ＭＢＭＳを要求する移動局装置の数を集計するメッセージに移動局装置のセル内位置の閾値情報を付加し、前記閾値情報が付加したメッセージを配下の移動局装置に対して送信し、前記移動局装置のうち、ＭＢＭＳを要求する移動局装置は、前記セル内位置の閾値情報と自局のセル内位置とに基づいて、前記メッセージに対する応答を行なうか否かを判断することを特徴とする。
【００２８】
このように、ＭＢＭＳを要求する移動局装置がセル内位置の閾値情報と自局のセル内位置とに基づいて、メッセージに対する応答を行なうか否かを判断するので、カウンティング応答で必要な情報量を削減しつつ、ＭＢＭＳの提供方法の決定に用いるＮｕｍE、ＮｕｍＣを取得することが可能となる。また、応答する対象の移動局装置を分けることが可能となり、Ｐｒｏｂａｂｉｌｉｔｙ  ｆａｃｔｏｒ値を高く設定した場合においても、応答時の回線の輻輳を軽減することができる。また、移動局装置のセル内位置に基づき適切なＭＢＭSの提供を行なうことが可能となり、無線リソースの有効利用が可能となる。また、移動局装置で必要な処理は、従来から常に測定している下りリンクリファレンス信号の受信電力に基づいた信号をカウンティング応答に付加し、Ｎｏｔｉｆｉｃａｔｉｏｎの提供方法選択に利用するのみであるため、複雑な処理を必要とせず、電力消費の増加を抑えることができる。さらに、サービスを要求する移動局装置がセル中心付近に多い場合においても、最適な送信パラメータを提供することが可能となる。
【００２９】
（３）また、本発明の無線通信システムにおいて、前記基地局装置は、前記移動局装置から前記応答メッセージを受信し、セル内位置毎にＭＢＭＳを要求する移動局装置の数を集計し、前記セル内位置毎に決定されたＭＢＭＳ提供方法に基づいて、前記移動局装置に対してＭＢＭＳを提供することを特徴とする。
【００３０】
このように、基地局装置は、セル内位置毎にＭＢＭＳを要求する移動局装置の数を集計し、セル内位置毎に決定されたＭＢＭＳ提供方法に基づいて、移動局装置に対してＭＢＭＳを提供するので、無線リソースの有効利用が可能となる。また、サービスを要求する移動局装置がセル中心付近に多い場合においても、最適な送信パラメータを提供することが可能となる。
【００３１】
（４）また、本発明の無線通信システムにおいて、前記基地局装置は、ＭＢＭＳを要求する移動局装置に対して、前記ＭＢＭＳ提供方法を通知するためのメッセージを送信し、前記移動局装置は、前記ＭＢＭＳ提供方法を通知するためのメッセージに複数のＭＢＭＳ提供方法が含まれている場合は、自局のセル内位置情報に基づいて、ＭＢＭＳ提供方法を選択することを特徴とする。
【００３２】
このように、移動局装置は、ＭＢＭＳ提供方法を通知するためのメッセージに複数のＭＢＭＳ提供方法が含まれている場合は、自局のセル内位置情報に基づいて、ＭＢＭＳ提供方法を選択するので、セルの中心付近とセル端に移動局装置が存在する場合に、基地局装置は、セルの中心付近の移動局装置にセル端の移動局装置と同様のＰＴＭでの送信をすることがなくなり、無線リソースや電力に無駄が生じなくなる。また、ＳＣ−ＰＴＰで提供されている移動局装置が、ＰＴＭでの提供に切り替えるために、ＰＴＭの受信品質を測定する必要がなくなり、移動局装置での処理の増大を防ぐことが可能となる。
【００３３】
（５）また、本発明の無線通信システムにおいて、前記ＭＢＭＳ提供方法は、ＭＢＳＦＮ（Multicast/Broadcast over Single Frequency Network）、ＳＣ−ＰＴＰ（Single Cell-Point To Point）、ＳＣ−ＰＴＭ（Single Cell-Point To Multipoint）、ＭＣ−ＰＴＭ（Multi Cell-Point To Multipoint）のいずれかであることを特徴とする。
【００３４】
このように、ＭＢＭＳ提供方法がＭＢＳＦＮ（Multicast/Broadcast over Single Frequency Network）、ＳＣ−ＰＴＰ（Single Cell-Point To Point）、ＳＣ−ＰＴＭ（Single Cell-Point To Multipoint）、ＭＣ−ＰＴＭ（Multi Cell-Point To Multipoint）のいずれかであるので、移動局装置の数や位置、受信品質差などに応じて最適なＭＢＭSを提供することが可能となる。
【００３５】
（６）また、本発明の無線通信システムにおいて、前記セル内位置情報は、セル中心付近とセル端付近とを表わす２値の情報であることを特徴とする。
【００３６】
このように、セル内位置情報は、セル中心付近とセル端付近とを表わす２値の情報であるので、例えば、セル内位置情報を1ビットのデータとしてセル中心付近を１、セル端付近を０とする等、複雑な処理が必要なくなる。
【００３７】
（７）また、本発明の無線通信システムにおいて、前記セル内位置情報は、ＲＳＲＰ（Reference Signal Received Power）、またはパスロス値のいずれかであることを特徴とする。
【００３８】
このように、セル内位置情報は、ＲＳＲＰ、またはパスロス値のいずれかであるので、移動局装置は複雑な処理を必要とせずに電力消費の増加を抑えることができる。
【００３９】
（８）また、本発明の基地局装置は、基地局装置と移動局装置とを含み、ＭＢＭＳ（Multimedia Broadcast Multicast Service）を提供する無線通信システムに適用される基地局装置であって、ＭＢＭＳを要求する移動局装置の数を集計するメッセージを配下の移動局装置に対して送信し、前記移動局装置から前記メッセージに対応する応答メッセージを受信し、前記移動局装置のセル内位置毎にＭＢＭＳを要求する移動局装置の数を集計し、前記セル内位置毎に決定されたＭＢＭＳ提供方法に基づいて、前記移動局装置に対してＭＢＭＳを提供することを特徴とする。
【００４０】
このように、基地局装置は、移動局装置のセル内位置毎に決定されたＭＢＭＳ提供方法に基づいて、移動局装置に対してＭＢＭＳを提供するので、移動局装置のセル内位置に基づき適切なＭＢＭSの提供を行なうことが可能となり、無線リソースの有効利用が可能となる。また、移動局装置で必要な処理は、従来から常に測定している下りリンクリファレンス信号の受信電力に基づいた信号をカウンティング応答に付加し、Ｎｏｔｉｆｉｃａｔｉｏｎの提供方法選択に利用するのみであるため、複雑な処理を必要とせず、電力消費の増加を抑えることができる。さらに、サービスを要求する移動局装置がセル中心付近に多い場合においても、最適な送信パラメータを提供することが可能となる。
【００４１】
（９）また、本発明の基地局装置において、移動局装置のセル内位置情報に対応付けられた少なくとも一つのＭＢＭＳ提供方法を通知するためのメッセージを含む送信信号を生成する送信信号処理部と、前記生成した送信信号を前記移動局装置に対して送信する送信部と、を備えることを特徴とする。
【００４２】
このように、基地局装置は、移動局装置のセル内位置情報に対応付けられた少なくとも一つのＭＢＭＳ提供方法を通知するためのメッセージを含む送信信号を生成するので、移動局装置のセル内位置に基づき適切なＭＢＭＳの提供を行なうことが可能となり、無線リソースの有効利用が可能となる。
【００４３】
（１０）また、本発明の移動局装置は、基地局装置と移動局装置とを含み、ＭＢＭＳ（Multimedia Broadcast Multicast Service）を提供する無線通信システムに適用される移動局装置であって、前記基地局装置から、ＭＢＭＳを要求する移動局装置の数を集計するメッセージを受信し、ＭＢＭＳを要求する場合は、前記メッセージに対する応答メッセージに自局のセル内位置情報を付加し、前記セル内位置情報が付加した応答メッセージを前記基地局装置に対して送信することを特徴とする。
【００４４】
このように、移動局装置は、ＭＢＭＳを要求する場合は、メッセージに対する応答メッセージに自局のセル内位置情報を付加するので、基地局装置は、移動局装置のセル内位置に基づき適切なＭＢＭSの提供を行なうことが可能となり、無線リソースの有効利用が可能となる。
【００４５】
（１１）また、本発明の移動局装置において、前記基地局装置から、ＭＢＭＳを要求する移動局装置の数を集計するメッセージを受信した場合に、前記メッセージに対応する応答メッセージに自局のセル内位置情報を付加するカウンティング応答信号生成部を備えることを特徴とする。
【００４６】
このように、基地局装置から、ＭＢＭＳを要求する移動局装置の数を集計するメッセージを受信した場合に、移動局装置がメッセージに対応する応答メッセージに自局のセル内位置情報を付加するので、基地局装置は、移動局装置のセル内位置に基づき適切なＭＢＭSの提供を行なうことが可能となり、無線リソースの有効利用が可能となる。
【００４７】
（１２）また、本発明の移動局装置において、前記基地局装置から、ＭＢＭＳを要求する移動局装置の数を集計するメッセージを受信した場合に、自局のセル内位置情報に基づいて、前記メッセージに対応する応答メッセージを送信するか否かを判断するカウンティング応答信号生成部を備えることを特徴とする。
【００４８】
このように、基地局装置から、ＭＢＭＳを要求する移動局装置の数を集計するメッセージを受信した場合に、移動局装置が、自局のセル内位置情報に基づいて、メッセージに対応する応答メッセージを送信するか否かを判断するので、移動局装置がカウンティング応答で必要な情報量を削減しつつ、基地局装置は、ＭＢＭＳの提供方法の決定に用いるＮｕｍE、ＮｕｍＣを取得することが可能となる。
【００４９】
（１３）また、本発明の移動局装置において、前記基地局装置から、移動局装置のセル内位置情報に対応付けられた少なくとも一つのＭＢＭＳ提供方法を通知するためのメッセージを含む送信信号を受信した場合、自局のセル内位置情報に基づいて、前記ＭＢＭＳ提供方法を選択することを特徴とする。
【００５０】
このように、基地局装置から、移動局装置のセル内位置情報に対応付けられた少なくとも一つのＭＢＭＳ提供方法を通知するためのメッセージを含む送信信号を受信した場合、自局のセル内位置情報に基づいて、ＭＢＭＳ提供方法を選択するので、セルの中心付近とセル端に移動局装置が存在する場合に、基地局装置は、セルの中心付近の移動局装置にセル端の移動局装置と同様のＰＴＭでの送信をすることがなくなり、無線リソースや電力に無駄が生じなくなる。また、ＳＣ−ＰＴＰで提供されている移動局装置が、ＰＴＭでの提供に切り替えるために、ＰＴＭの受信品質を測定する必要がなくなり、移動局装置での処理の増大を防ぐことが可能となる。
【００５１】
（１４）また、本発明の通信方法は、基地局装置と移動局装置とを含み、ＭＢＭＳ（Multimedia Broadcast Multicast Service）を提供する無線通信システムの通信方法であって、前記基地局装置において、ＭＢＭＳを要求する移動局装置の数を集計するメッセージを配下の移動局装置に対して送信するステップと、前記移動局装置のうち、ＭＢＭＳを要求する移動局装置において、前記メッセージに対する応答メッセージに自局のセル内位置情報を付加するステップと、前記セル内位置情報が付加した応答メッセージを前記基地局装置に対して送信するステップと、を少なくとも含むことを特徴とする。
【００５２】
このように、ＭＢＭＳを要求する移動局装置において、メッセージに対する応答メッセージに自局のセル内位置情報を付加するので、移動局装置のセル内位置に基づき適切なＭＢＭSの提供を行なうことが可能となり、無線リソースの有効利用が可能となる。
【００５３】
（１５）また、本発明の通信方法は、基地局装置と移動局装置とを含み、ＭＢＭＳ（Multimedia Broadcast Multicast Service）を提供する無線通信システムの通信方法であって、前記基地局装置において、ＭＢＭＳを要求する移動局装置の数を集計するメッセージに移動局装置のセル内位置の閾値情報を付加するステップと、前記閾値情報が付加したメッセージを配下の移動局装置に対して送信するステップと、前記移動局装置のうち、ＭＢＭＳを要求する移動局装置において、前記セル内位置の閾値情報と自局のセル内位置とに基づいて、前記メッセージに対する応答を行なうか否かを判断するステップと、を少なくとも含むことを特徴とする。
【００５４】
このように、ＭＢＭＳを要求する移動局装置において、セル内位置の閾値情報と自局のセル内位置とに基づいて、メッセージに対する応答を行なうか否かを判断するので、移動局装置がカウンティング応答で必要な情報量を削減しつつ、基地局装置は、ＭＢＭＳの提供方法の決定に用いるＮｕｍＥ、ＮｕｍＣを取得することが可能となる。
【発明の効果】
【００５５】
本発明によれば、ＭＢＭＳを要求する移動局装置がメッセージに対する応答メッセージに自局のセル内位置情報を付加し、セル内位置情報が付加した応答メッセージを基地局装置に対して送信するので、移動局装置のセル内位置に基づき適切なＭＢＭＳの提供を行なうことが可能となり、無線リソースの有効利用が可能となる。また、移動局装置で必要な処理は、従来から常に測定している下りリンクリファレンス信号の受信電力に基づいた信号をカウンティング応答に付加し、Ｎｏｔｉｆｉｃａｔｉｏｎの提供方法選択に利用するのみであるため、複雑な処理を必要とせず、電力消費の増加を抑えることができる。さらに、サービスを要求する移動局装置がセル中心付近に多い場合においても、最適な送信パラメータを提供することが可能となる。
【図面の簡単な説明】
【００５６】
【図１】本発明の実施形態に係るＵＥ１の受信装置の一例を示すブロック図である。
【図２】本発明の実施形態に係るＵＥ１の送信装置の一例を示すブロック図である。
【図３】本発明の実施形態に係るｅＮＢ３の受信装置の一例を示すブロック図である。
【図４】本発明の実施形態に係るｅＮＢ３の送信装置の一例を示すブロック図である。
【図５】本発明の実施形態に係るＵＥ１およびｅＮＢ３を含むＭＢＭＳ提供の全体的なユーザプレーンアーキテクチャを示す概略ブロック図である。
【図６】本発明の実施形態に係るユーザプレーンアーキテクチャに基づいたＭＢＭＳ提供のシーケンスチャートである。
【図７】本発明の第１の実施形態に係るＵＥ１におけるカウンティング応答の処理手順の一例を示したフローチャートである。
【図８】本発明の第１の実施形態に係るＮＷにおけるＭＢＭＳの提供方法決定の処理手順の一例を示したフローチャートである。
【図９】本発明の第１の実施形態に係るＵＥ１における受信設定処理手順の一例を示したフローチャートである。
【図１０】本発明の第２の実施形態に係るＵＥ１におけるカウンティング応答の処理手順の一例を示したフローチャートである。
【図１１】本発明の第３の実施形態に係るＵＥ１におけるカウンティング応答の処理手順の一例を示したフローチャートである。
【図１２】ＥＵＴＲＡにおける下りリンクの無線フレームの構成の一例を示す図である。
【図１３】図１３は、無線通信システムの概略構成を示す図である。
【発明を実施するための形態】
【００５７】
［第１の実施形態］
以下、図１〜図９を参照して、本発明の第１の実施形態について説明する。
【００５８】
図１は、本発明の実施形態に係る移動局装置（以下、UEと表す）１の受信装置の一例を示すブロック図である。本受信装置１００は、受信部１０１、受信信号処理部１０２、測定情報保持部１０３、カウンティング応答信号生成部１０４、アンテナ１０５から構成される。受信信号（基地局装置（以下、eNBと表す）３からの送信信号）は、アンテナ１０５を介して受信部１０１において受信される。
【００５９】
受信部１０１において、受信信号はチャネルスケジュールを示す受信制御情報を基に復調される。受信制御情報は、各チャネルに関する受信タイミング、多重方法、リソース配置情報やスクランブル解除符号など復調に関する情報が含まれている。受信制御情報に従い、受信部１０１は受信信号をチャネル毎に復調・復号化し、受信信号処理部１０２へと出力する。また、受信部１０１では、受信信号に含まれる同期チャネルから検出した物理セルＩＤや、下りリンクリファレンス信号の受信品質や、報知情報から得たエリア情報や基地局送信電力情報などを測定情報として測定情報保持部１０３へと出力する。測定情報保持部１０３は図示していない上位レイヤやカウンティング応答信号生成部１０４に対して保持している測定情報を出力する。
【００６０】
受信信号処理部１０２では、受信部１０１からの入力信号をチャネル毎に処理し、ＭＢＭＳのカウンティング信号が含まれる場合には、当該信号をカウンティング応答信号生成部１０４へ出力する。他のユーザのトラフィックデータや下りリンク制御データなどは、その他の情報として個別の処理ブロックに出力するが、これらは本発明に関係ないため説明を省略する。
【００６１】
カウンティング応答信号生成部１０４は、カウンティング信号を検出すると、Ｐｒｏｂａｂｉｌｉｔｙ  ｆａｃｔｏｒと、上位レイヤから取得するサービス要求信号と基地局送信電力情報と、測定情報保持部１０３から取得する測定情報を基に、カウンティング応答信号を生成するか否かの判断を行ない、生成する場合には、カウンティング応答信号を生成して後述する送信装置２００へ出力する。
【００６２】
図２は、本発明の実施形態に係るＵＥ１の送信装置の一例を示すブロック図である。本送信装置２００は、送信信号処理部２０１、送信部２０２、アンテナ２０３から構成される。送信信号処理部２０１には、上位レイヤの指示に従い適切なタイミングでカウンティング応答信号が入力される。送信信号処理部２０１は、カウンティング応答信号と、その他の送信信号に対して適切なスケジューリングを行なう。その他の送信信号とは、上りリンクユーザトラフィックデータや上りリンク制御データ、上りリンクリファレンス信号などである。送信信号処理部２０１からスケジューリングに基づき出力される信号は、送信部２０２において送信制御情報に従い、送信信号としてアンテナ２０３を介して出力される。送信制御情報は、各チャネルに関する送信タイミング、多重方法、リソース配置情報や変調に関する情報が含まれる。なお、図１および図２において、その他のＵＥ１の構成要素は本実施形態に関係ないため、その説明を省略する。
【００６３】
図３は、本発明の実施形態に係るｅＮＢ３の受信装置の一例を示すブロック図である。本受信装置３００は、受信部３０１、受信信号処理部３０２、カウンティング応答信号集計部３０３、アンテナ３０４から構成される。受信信号（ＵＥ１からの送信信号）は、アンテナ３０４を介して受信部３０１において受信される。受信部３０１において、受信信号はチャネルスケジュールを示す受信制御情報を基に復調される。受信制御情報は、ＵＥ１毎の各チャネルに関する受信タイミング、多重方法、リソース配置情報や復調に関する情報が含まれている。受信制御情報に従い、受信部３０１は受信信号をチャネル毎に復調・復号化し、受信信号処理部３０２へと出力する。
【００６４】
受信信号処理部３０２は、入力信号をＵＥ１毎に分け、更にチャネル毎に適切に処理する。入力信号がカウンティング応答信号であるとき、カウンティング応答信号はカウンティング応答信号集計部３０３へ出力される。受信信号処理部３０２で処理されるカウンティング応答信号以外の信号、例えばユーザのトラフィックデータや上りリンク制御データ、その他の制御メッセージなどは、その他の情報として個別の処理ブロックに入力されるが、これらは本発明に関係ないため、その説明を省略する。カウンティング応答信号集計部３０３は、ユーザ毎のカウンティング応答信号を集計し、集計結果を上位レイヤへ通知する。
【００６５】
図４は、本発明の実施形態に係るｅＮＢ３の送信装置の一例を示すブロック図である。本送信装置４００は、送信信号処理部４０１、送信部４０２、アンテナ４０３から構成される。送信信号処理部４０１には、上位レイヤからＭＢＭＳ提供方法設定信号とＭＢＭＳデータとその他の送信信号とが入力される。送信信号処理部４０１は、ＭＢＭＳ提供方法設定信号に基づき、ＭＢＳＦＮ、ＰＴＭ、ＳＣ−ＰＴＰいずれかの提供方法あるいは前記方法の組み合わせを用いてＭＢＭＳデータの送信信号を生成し、その他の送信信号も含めてスケジューリングを行なう。その他の送信信号とは、各ＵＥ１の下りリンクユーザトラフィックデータや下りリンク制御データ、下りリンクリファレンス信号などである。送信信号処理部４０１からスケジューリングに基づき出力されるデータは、送信部４０２において送信制御情報に従い、送信信号としてアンテナ４０３を介して出力される。送信制御情報は、各チャネルに関する送信タイミング、多重方法、リソース配置情報や変調に関する情報が含まれる。なお、図３および図４において、その他のｅＮＢ３の構成要素は本発明に関係ないため省略してある。
【００６６】
図５は、本発明の実施形態に係るＵＥ１およびｅＮＢ３を含むＭＢＭＳ提供の全体的なユーザプレーンアーキテクチャを示す概略ブロック図である。図５において、ＵＥ１は移動局装置であり、ｅＮＢ３は基地局装置であり、ｅＢＭ−ＳＣ（evolved Broadcast/Multicast-Service Center）５０１はＭＢＭＳトラフィックのソースであり、Ｅ−ＭＢＭＳ  ＧＷ（E-MBMS Gateway）５０２は前記トラフィックをＭＢＭＳ提供エリアの様々なｅＮＢ３へ配信する論理エンティティである。Ｅ−ＭＢＭＳ  ＧＷ５０２は他のネットワーク上の装置に具備されていてもよい。図５においてｅＢＭ−ＳＣ５０１で生成されたＭＢＭＳパケットがＥ−ＭＢＭＳ  ＧＷ５０２を通じて各ｅＮＢ３に送られ、各ｅＮＢ３は、Ｅ−ＭＢＭＳ  ＧＷ５０２から送られるＳＹＮＣプロトコルによりＭＢＭＳパケットを送信するタイミング（無線フレーム）となるまで前記ＭＢＭＳパケットを保持し、送信タイミングに従って、ＵＥ１に対してＭＢＳＦＮまたはＭＣ−ＰＴＭにて送信を行なう。
【００６７】
また図示はしていないが、コントロールプレーンでは、ＭＢＭＳをＭＢＳＦＮあるいはＭＣ−ＰＴＭで提供するエリアにおいては、同じリソースブロックが任意のサービスに対して割り当てられるように、提供エリアのすべてのｅＮＢ３を制御するＭＣＥ（MBMS Coordination Entity）がエンティティとして存在しており、無線フレーム内での送信タイミングがＭＢＭＳ提供エリア内で一致するように制御が行なわれている。なお、ＭＣＥは論理的なエンティティであるため、ｅＮＢ３がＭＣＥを具備してもよいし、ネットワーク上の他の装置が具備してもよい。ＭＣＥはＭＭＥ（Mobility Management Entity）によって制御され、Ｅ−ＭＢＭＳ  ＧＷ５０２からのＭＢＭＳセッションの制御信号は、このＭＭＥを通してＭＣＥに送られる。
【００６８】
また、ＭＢＭＳパケットがＳＣ−ＰＴＰあるいはＳＣ−ＰＴＭで送信される場合には、Ｅ−ＭＢＭＳ  ＧＷ５０２がＵＥ１毎のパケットを生成し、通常のパケットとして各ＵＥ１に送信してもよいし、ｅＮＢ３が無線リソースのスケジューリングを行ない、ＵＥ１に対して前記ＭＢＭＳパケットをＵＥ１宛のパケットとして送信することもできる。上記のアーキテクチャによりＭＢＭＳをユーザに提供する。
【００６９】
図６は、本発明の実施形態に係るユーザプレーンアーキテクチャに基づいたＭＢＭＳ提供のシーケンスチャートである。図６において、ＵＥ１は移動局装置であり、ＮＷ６０１は、複数の（MCEを具備する）ｅＮＢ３とＭＭＥとＳ−ＧＷ（Serving Gateway）とＰ−ＧＷ（PDN Gateway）などで構成されるネットワークである。Ｅ−ＭＢＭＳ  ＧＷ５０２は上記ＮＷ６０１内に存在してもよく、また別のネットワークに属する場合は、ＮＷ６０１のＭＭＥ、Ｐ−ＧＷを通してＵＥ１にＭＢＭＳを提供する。
【００７０】
まず、ＭＢＭＳ提供者はＵＥ１に対してＳＭＳ（Short Message Service）やＭＭＳ（Multimedia Message Service）などを用いて、サービス通知（Service announcement）を行なう（ステップＳ１０１）。ＵＥ１はＭＢＭＳ提供者からの上記サービス通知を受信するために予め申し込み（Subscription）を行なう必要がある場合もある。Ｓｅｒｖｉｃｅ  ａｎｎｏｕｎｃｅｍｅｎｔには、複数のセッションで構成されるＭＢＭＳのサービス内容や提供時間などの情報が含まれており、数時間あるいは数日分のスケジュールが含まれる。Ｓｅｒｖｉｃｅ  ａｎｎｏｕｎｃｅｍｅｎｔを受信したＵＥ１は、サービスを要求する場合には一つまたは複数のＭＢＭＳ  Ｂｅａｒｅｒサービスを受信することを示すＪｏｉｎｉｎｇを行なう（ステップＳ１０２）。ＵＥ１は、Ｊｏｉｎｉｎｇとして、受信するＭＢＭＳ  Ｂｅａｒｅｒサービスを同定可能なＩＰマルチキャストアドレスを少なくともＪｏｉｎメッセージに含めてＮＷ６０１に送信する。ＵＥ１は、Ｊｏｉｎｉｎｇを後述するＳｅｓｓｉｏｎ開始の前に行なってもよいし、Ｓｅｓｓｉｏｎ中に行なってもよい。
【００７１】
次にＮＷ６０１は、ＭＢＭＳデータの送信が可能となった時点でＭＢＭＳ  ｓｅｓｓｉｏｎ  ｓｔａｒｔを行ない、ＵＥ１に対して開始されるセッションのＭＢＭＳデータを受信するためのＭＢＭＳ  Ｂｅａｒｅｒを確立する（ステップＳ１０３）。次にＮＷ６０１は、カウンティングを行なう必要がある場合には、カウンティング信号をＵＥ１に対して送信し（ステップＳ１０４）、ＵＥ１からカウンティング応答（Counting Response）を受信する（ステップＳ１０５）。また、カウンティング応答がない場合など必要に応じて、Ｐｒｏｂａｂｉｌｉｔｙ  Ｆａｃｔｏｒを変更して再度カウンティング処理を行なう（ステップＳ１０６、Ｓ１０７）。
【００７２】
次にＮＷ６０１は、ＭＢＭＳの提供方法を判断し（ステップＳ１０８）、ＵＥ１に対してＮｏｔｉｆｉｃａｔｉｏｎを行なう。ＮｏｔｉｆｉｃａｔｉｏｎではＵＥ１に対してＭＢＭＳ送信用のＢｅａｒｅｒリソースの割り当てが行なわれる（ステップＳ１０９）。ＮＷ６０１は、カウンティング応答を基にＮｏｔｉｆｉｃａｔａｉｏｎで通知するＭＢＭＳ送信用のＢｅａｒｅｒリソースの割り当て情報を決定することができる。Ｎｏｔｉｆｉｃａｔｉｏｎを受信したＵＥ１は、ＭＢＭＳデータを受信するために一つ以上のＭＢＭＳ  Ｂｅａｒｅｒサービスの受信を開始する。その後ＮＷ６０１は、ＵＥ１に割り当てたリソースを用いてＭＢＭＳデータを送信する（ステップＳ１１０）。
【００７３】
一つのセッションのＭＢＭＳデータ送信が終了し、次のセッションまでにＭＢＭＳ  Ｂｅａｒｅｒを解放するに十分な時間があるとＮＷ６０１が判断した場合、ＮＷ６０１はＵＥ１に対してＳｅｓｓｉｏｎ  Ｓｔｏｐを送信し、ＵＥ１の前記セッションのＭＢＭＳ用Ｂｅａｒｅｒリソースを開放する（ステップＳ１１１）。また、ＭＢＭＳの受信を停止したいＵＥ１は、ＮＷ６０１にＬｅａｖｉｎｇを行なう（ステップＳ１１２）。ＵＥ１は、Ｌｅａｖｉｎｇとして、受信を停止したいＭＢＭＳ  Ｂｅａｒｅｒサービスを同定可能なＩＰマルチキャストアドレスを少なくともＬｅａｖｅメッセージに含めてＮＷ６０１に送信する。上記シーケンスによりＭＢＭＳがＵＥ１に対して提供される。
【００７４】
次に、本実施形態における上記手順におけるカウンティングと提供方法の判断について詳細な説明を行なう。本実施形態では、従来のカウンティング応答に新たにＵＥ１のセル内位置情報を付加する。
【００７５】
セル内位置情報とは、少なくともＵＥ１がセル中心付近にいるのかセル端にいるのかを示す情報であり、例えば、ＧＰＳにより算出される位置情報と報知情報に含まれるｅＮＢ３の位置情報とから算出される２点間の距離と、既定の閾値との比較によりセル中心付近かセル端付近かを判断してもよいし、物理的な位置情報に限らず、ＵＥ１が受信する下りリンクリファレンス信号の受信電力（RSRP）と報知情報に含まれる送信電力情報（基地局送信電力情報）とから算出されるパスロス値や、ＲＳＲＰそのものや、リファレンス信号の受信品質（RSRQ）などと、既定の閾値との比較によりセル中心付近かセル端付近かを判断してもよい。本実施形態ではパスロス値を用いる場合についての説明を行なう。なお、セル内位置情報を得ることが可能であれば、本発明に開示した方法以外の任意の方法を用いても良く、例えば将来の移動通信システムにおける位置サービス（Location Service;LCS）によってセル内位置情報を得ることも可能である。
【００７６】
図７は、本発明の第１の実施形態に係るＵＥ１におけるカウンティング応答の処理手順の一例を示したフローチャートである。ＵＥ１は、ＮＷ６０１（典型的にはeNB３である）よりカウンティング信号を受信すると、図１におけるカウンティング応答信号生成部１０４において、上位レイヤから入力されるサービス要求信号に基づき、サービスを要求しているか否かの判断を行なう（ステップＳ２０１）。ＵＥ１は、サービスを要求していない場合は、フローを終了する。サービスを要求している場合、ＭＢＭＳ  ＡＣＣＥＳＳ  ＩＮＦＯＲＭＡＴＩＯＮに含まれるＰｒｏｂａｂｉｌｉｔｙ  ｆａｃｔｏｒを基に自局がカウンティング応答信号を送信するか否かを判定する（ステップＳ２０２）。ＵＥ１は、送信しない場合はフローを終了する。
【００７７】
ＵＥ１は、カウンティング応答信号を送信する場合、上位レイヤから入力される基地局送信電力情報と、測定情報保持部１０３にて保持している下りリンクリファレンス信号の受信電力測定結果とからパスロス値を算出し、前記パスロス値と既定の閾値との比較を行なう（ステップＳ２０３）。ここで前記既定の閾値は、ｅＮＢ３からの報知情報に予め含まれていてもよいし、カウンティング信号に含まれていてもよい。また、基地局送信電力情報は報知情報により予めｅＮＢ３から通知される。算出したパスロス値と既定の閾値との比較の結果、パスロス値が閾値未満の値である場合、セル内位置情報としてセル中心付近を示す符号を設定する（ステップＳ２０４）。パスロス値が閾値以上の値である場合、セル内位置情報としてセル端付近を示す符号を設定する（ステップＳ２０５）。
【００７８】
ここでセル内位置情報の符号は、ｅＮＢ３とＵＥ１とで予め取り決められた符号であればよく、例えば１ビットのデータとしてセル中心付近を１、セル端付近を０としてもよいし、カウンティング応答信号を送信する際に使用するランダムアクセス用のプリアンブルを２種類設定し、どちらの種類のプリアンブルを用いるかで表現してもよい。または、セル端付近のＵＥ１のみセル端付近を表すデータをカウンティング応答信号に付加して送信してもよい。次に、ステップＳ２０４またはステップＳ２０５で設定された符号をカウンティング応答信号に含めて図２の送信装置の送信信号処理部へ入力する（ステップＳ２０６）。以上がＵＥ１におけるカウンティング応答の処理手順である。次に、カウンティング応答を受信するＮＷ６０１におけるＭＢＭＳの提供方法の決定手順について説明を行なう。
【００７９】
図８は、本発明の第１の実施形態に係るＮＷ６０１におけるＭＢＭＳの提供方法決定の処理手順の一例を示したフローチャートである。ＮＷ６０１内のｅＮＢ３は、まずカウンティング信号を配下のＵＥ１に対して送信する。（ステップＳ３０１）ｅＮＢ３は、カウンティング応答信号集計部３０３でＵＥ１が送信したカウンティング応答信号を収集し、セル内位置情報としてセル中心付近を返したＵＥ数（NumC）とセル端付近を返したＵＥ数（NumE）とを数える（ステップＳ３０２）。次に再度カウンティングが必要か否かを判断する（ステップＳ３０３）。
【００８０】
ｅＮＢ３は、カウンティングが必要であればＰｒｏｂａｂｉｌｉｔｙ  ｆａｃｔｏｒの値を更新して（ステップＳ３０４）、ステップＳ３０１へ戻って再度カウンティングを行なう。ここで再度のカウンティングが必要な場合としては、前記ステップＳ３０２で数えたＮｕｍＣ、ＮｕｍＥの何れかあるいは双方ともが０である場合などが挙げられる。再度のカウンティングが不要であれば、ｅＮＢ３で集計したＮｕｍＣ、ＮｕｍＥの情報をＥ−ＭＢＭＳ  ＧＷ５０２へ通知する（ステップＳ３０５）。
【００８１】
ステップＳ３０６〜Ｓ３１０はＥ−ＭＢＭＳ  ＧＷ５０２での処理であり、Ｅ−ＭＢＭＳ  ＧＷ５０２が各ｅＮＢ３から通知されるＮｕｍＣとＮｕｍＥを集計して既定の閾値との大小比較を行ない、比較結果に基づいて、セル中心付近ＵＥ１向けのＭＢＭＳ提供方法とセル端付近ＵＥ１向けのＭＢＭＳ提供方法を設定する。設定の一例としては、ＮｕｍＥ≧閾値Ｂの場合（ステップＳ３０６）、すなわちサービスを要求するＵＥ１がセル端付近で一定数以上の場合には、ＳＣ−ＰＴＰあるいはＳＣ−ＰＴＭではなく、ＭＢＳＦＮあるいはＭＣ−ＰＴＭで送信することにより、セル端での受信品質を確保しつつ、かつセル中心付近のＵＥ１も受信することができる（ステップＳ３１０）。
【００８２】
また、ＮｕｍＣ＜閾値Ａ、ＮｕｍＥ＜閾値Ｂの場合（ステップＳ３０６、Ｓ３０７）、すなわちサービスを要求するＵＥ１がセル内で一定数以下である場合、ＭＢＳＦＮやＭＣ−ＰＴＭで送信することによるリソースの利用効率の低下を防ぐため、ＳＣ−ＰＴＰあるいはＳＣ−ＰＴＭでＵＥ１ごとあるいはセル中心付近のＵＥ群とセル端付近のＵＥ群とで最適な送信パラメータ（変調方式や符号化率）を設定して送信することにより、リソースの効率化を図ることができる（ステップＳ３０９）。
【００８３】
また、ＮｕｍＣ≧閾値Ａ、ＮｕｍＥ＜閾値Ｂの場合（ステップＳ３０６、Ｓ３０７）、すなわちサービスを要求するＵＥ１がセル中心付近に多い場合、セル端付近で受信可能なように送信パラメータが設定されたＭＢＳＦＮやＭＣ−ＰＴＭで送信することによるリソースの利用効率の低下を防ぐため、セル中心付近のＵＥ群に対しては伝送レートの高いＳＣ−ＰＴＭで送信し、セル端付近のＵＥ１、あるいはＵＥ群に対しては伝送レートの低いＳＣ−ＰＴＰあるいはＳＣ−ＰＴＭで送信することによりリソースの効率化を図り、また適切な送信パラメータ設定によるセル中心付近のＵＥ１の受信処理時間の短縮などでＵＥ１の省電力化を図ることができる（ステップＳ３０８）。
【００８４】
次に、ステップＳ３０６〜Ｓ３１０で設定されたＭＢＭＳ提供方法に基づいてｅＮＢ３からＵＥ１に対してＮｏｔｉｆｉｃａｔｉｏｎを行なう（ステップＳ３１１）。Ｎｏｔｉｆｉｃａｔｉｏｎで通知される提供方法は、セル中心付近ＵＥ１向けとセル端付近ＵＥ１向けで異なる場合には２種類が含まれることになる。すなわち、従来であればｅＮＢ３からは、ＰＴＭ情報取得要求信号（acquirePTM-RBInfo）あるいはＰＴＰ接続指示信号（requestPTPRB）の何れかがＵＥ１に通知されていたが、本実施形態では、セル中心付近ＵＥ１向けとセル端付近ＵＥ１向けとで上記信号を個別に送る手法や、上記信号の種類を拡張して、一つの信号でセル中心付近ＵＥ１向けとセル端付近ＵＥ１向け双方への指示を示す信号（例えばacquirePTM−RBInfoForCellCenter−requestPTPRBForCellEdgeなど）を用いる手法を導入する。
【００８５】
前記フローによってＭＢＭＳの提供方法が決定され、ＵＥ１にＮｏｔｉｆｉｃａｔｉｏｎによってＭＢＭＳ送信用のＢｅａｒｅｒリソースが通知される。ＵＥ１は、Ｎｏｔｉｆｉｃａｔｉｏｎに上述したような複数の提供方法が含まれる場合には、自局のセル内位置情報に基づき提供方法を選択し、選択した提供方法に準じた受信設定を行なう。
【００８６】
図９は、本発明の第１の実施形態に係るＵＥ１における受信設定処理手順の一例を示したフローチャートである。図９において、まずサービスを要求するＵＥ１は、ｅＮＢ３からのＮｏｔｉｆｉｃａｔｉｏｎで提供方法を含むメッセージを取得する（ステップＳ４０１）。次にＵＥ１はメッセージに複数の提供方法が含まれるか否かを判定する（ステップＳ４０２）。単一の提供方法が含まれる場合は、その提供方法を取得する（ステップＳ４０３）。複数の提供方法が含まれる場合は、自局がセル中心付近であるか否かを判定する（ステップＳ４０４）。判定方法は、カウンティング応答での処理と同じである。自局がセル中心付近であればセル中心付近向けの提供方法を取得する（ステップＳ４０５）。セル端付近であればセル端付近向けの提供方法を取得する（ステップＳ４０６）。
【００８７】
次に上記ステップＳ４０４からステップＳ４０６の何れかで取得した提供方法がＰＴＭ情報取得指示であるかを判定する（ステップＳ４０７）。ＰＴＭ情報取得指示である場合には、ＭＣＣＨに含まれる各ＰＴＭ  ＲＢ  ＩＮＦＯＲＭＡＴＩＯＮからサービスの受信に必要な情報を取得する（ステップＳ４０８）。ＰＴＭ情報取得指示でなければＭＢＳＦＮ情報取得指示であるかを判定する（ステップＳ４０９）。ＭＢＳＦＮ情報取得指示である場合には、ＭＣＣＨあるいは報知情報に含まれるＭＢＳＦＮ設定に関する情報を取得し、サービスの受信に必要な情報を取得する（ステップＳ４１０）。
【００８８】
ステップＳ４０９でＭＢＳＦＮ情報取得指示でない場合（あるいはPTP接続指示である場合）、ＵＥ１は、ｅＮＢ３に対してＳＣ―ＰＴＰによるサービス受信のためのＢｅａｒｅｒをＵＬ−ＣＣＣＨのＲＲＣＣｏｎｎｅｃｔｉｏｎＲｅｑｕｅｓｔメッセージや、ＵＬ−ＤＣＣＨのメッセージなどを用いて要求する（ステップＳ４１１）。要求を受けたｅＮＢ３はＵＥ１に対してＤＬ−ＣＣＣＨのＲＲＣＣｏｎｎｅｃｔｉｏｎＳｅｔｕｐメッセージやＤＬ−ＤＣＣＨのメッセージなどを用いてサービスの受信に必要な情報を提供する。ｅＮＢ３からのメッセージを受信したＵＥ１は情報に基づいて受信設定を行ない、ＵＬ−ＤＣＣＨでＣｏｍｐｌｅｔｅメッセージを送信する。上記がＵＥ１における受信設定処理手順である。
【００８９】
本実施形態により、ＵＥ１のセル内位置に基づき適切なＭＢＭＳの提供を行なうことが可能となり、無線リソースの有効利用が可能となる。また、ＵＥ１で必要な処理は、従来から常に測定している下りリンクリファレンス信号の受信電力に基づいた信号をカウンティング応答に付加し、Ｎｏｔｉｆｉｃａｔｉｏｎの提供方法選択に利用するのみであるため、複雑な処理を必要とせず、電力消費の増加を抑えることができる。また、特許文献１ではＭＢＭＳ受信品質の悪いＵＥ１が複数台存在する場合、ｅＮＢ３の送信電力を上げて受信品質の悪いＵＥ１を一定数以下に抑えるように制御するため、セル中心付近のＵＥ１に対する送信パラメータの最適化ができないが、本実施形態による制御では、サービスを要求するＵＥ１がセル中心付近に多い場合においても、最適な送信パラメータを提供することが可能となる。
【００９０】
なお、本実施形態の説明では具体的なＲＲＣメッセージを用いて説明を行ったが、その目的を達することができれば、前記説明のメッセージのみの利用に限定されるものではない。また、前記説明において図９のステップＳ４１１にてＵＥ１からのＰＴＰでのＲＢ要求を行なっているが、ＵＥ１からの要求は行なわず、ｅＮＢ３からのＲＲＣＣｏｎｎｅｃｔｉｏｎＲｅｃｏｎｆｉｇｕｒａｔｉｏｎなどのメッセージにより基地局主導でＰＴＰの受信設定を行なってもよい。
【００９１】
［第２の実施形態］
前記第１の実施形態では、ＵＥ１からのカウンティング応答にセル内位置を示す信号を含める場合について説明を行なった。本実施形態ではＮＷ６０１がＵＥ１に対してカウンティング応答を要求するためにカウンティングにＵＥ１のセル内位置に関する閾値情報を含める場合について説明を行なう。本実施形態のｅＮＢ３、ＵＥ１は、それぞれ第１の実施形態の図１、図２、図３、図４と同じ構成とする。
【００９２】
本実施形態におけるカウンティングと提供方法の判断について詳細な説明を行なう。本実施形態では、従来のカウンティングに、新たにカウンティング応答をＵＥ１が行なうか否か判断するセル内位置の閾値情報を付加する。前記閾値情報とは、例えば「パスロス値がある閾値以上である場合に報告する」「パスロス値がある閾値未満である場合に報告する」を表す情報（比較する閾値と、「以上」か「未満」）である。また、前述のようにパスロス値の代わりに参照信号受信電力（RSRP）や参照信号受信品質（RSRQ）を用いることも可能である。
【００９３】
図１０は、本発明の第２の実施形態に係るＵＥ１におけるカウンティング応答の処理手順の一例を示したフローチャートである。ＵＥ１は、前記閾値情報を含むカウンティング信号を受信すると、図１におけるカウンティング応答信号生成部１０４において、上位レイヤから入力されるサービス要求信号に基づき、サービスを要求しているか否かの判断を行なう（ステップＳ５０１）。サービスを要求していない場合はフローを終了する。サービスを要求している場合、上位レイヤから入力される基地局送信電力情報と、測定情報保持部１０３にて保持している下りリンクリファレンス信号の受信電力測定結果とからパスロス値を算出し、カウンティング信号に含まれる閾値情報を基に自局がカウンティング応答する対象か否かを判定する（ステップＳ５０２）。カウンティング応答する対象でない場合はフローを終了する。
【００９４】
カウンティング応答する対象である場合、ＭＢＭＳ  ＡＣＣＥＳＳ  ＩＮＦＯＲＭＡＴＩＯＮに含まれるＰｒｏｂａｂｉｌｉｔｙ  ｆａｃｔｏｒを基に自局がカウンティング応答信号を送信するか否かを判定する（ステップＳ５０３）。送信しない場合はフローを終了する。カウンティング応答信号を送信する場合、図２の送信装置の送信信号処理部へカウンティング応答信号を入力する（ステップＳ５０４）。以上が本実施形態におけるＵＥ１におけるカウンティング応答の処理手順である。なお、ＮＷ６０１は、閾値情報をカウンティング信号の代わりに報知情報を用いて通知してもよい。また、ＮＷ６０１は、閾値情報をカウンティング信号の代わりに個別のシグナリングを用いて通知してもよい。
【００９５】
次に、カウンティング応答を受信するＮＷ６０１におけるＭＢＭＳの提供方法の決定手順について説明を行なう。本実施形態におけるＭＢＭＳの提供方法の決定手順については第１の実施形態と同様であるが、ＮｕｍＥとＮｕｍＣの取得に関しての処理のみ異なるため、ＮｕｍＥとＮｕｍＣの取得に関する説明を行なう。第１の実施形態では、ＵＥ１からの応答に含まれるセル内位置情報をもとにＮｕｍＥ、ＮｕｍＣを算出しているが、本実施形態では、まずカウンティング信号に閾値情報を付加し、パスロス値がある閾値未満であるＵＥ１のみに応答させる。これによりＮｕｍＥを算出でき、図８におけるステップＳ３０６の処理を行なうことができる。ステップＳ３０７の処理が必要な場合にはパスロス値がある閾値以上であるＵＥ１のみに応答させ、ＮｕｍＣを算出し、ステップＳ３０７の処理を行なう。上記決定に基づいたＮｏｔｉｆｉｃａｔｉｏｎおよびＵＥ１の受信設定は第１の実施形態と同様であるため説明を省略する。
【００９６】
本実施形態により、カウンティング応答で必要な情報量を削減しつつ、ＭＢＭＳの提供方法の決定に用いるＮｕｍＥ、ＮｕｍＣを取得することが可能となり、第１の実施形態と同様の効果が得られる。また、応答する対象のＵＥ１を分けることが可能となり、Ｐｒｏｂａｂｉｌｉｔｙ  ｆａｃｔｏｒ値を高く設定した場合においても、応答時の回線の輻輳を軽減することができる。
【００９７】
［第３の実施形態］
前記第２の実施形態では、ＮＷ６０１がＵＥ１に対してカウンティング応答を要求するためのセル内位置の閾値情報を含める場合について説明を行なった。本実施形態ではＮＷ６０１がＵＥ１のセル内位置に対して複数の異なるＰｒｏｂａｂｉｌｉｔｙ  ｆａｃｔｏｒを含める場合について説明を行なう。本実施形態のｅＮＢ３、ＵＥ１は、それぞれ第１の実施形態の図１、図２、図３、図４と同じ構成とする。
【００９８】
本実施形態におけるカウンティングと提供方法の判断について詳細な説明を行なう。本実施形態では、ＭＢＭＳ  ＡＣＣＥＳＳ  ＩＮＦＯＲＭＡＴＩＯＮに含めるＰｒｏｂａｂｉｌｉｔｙ  ｆａｃｔｏｒの種類を増やす。ひとつはパスロス値がある閾値以上の際に用いるＰｒｏｂａｂｉｌｉｔｙ  ｆａｃｔｏｒであり、もうひとつはパスロス値がある閾値未満の際に用いるＰｒｏｂａｂｉｌｉｔｙ  ｆａｃｔｏｒである。また前記閾値はＭＢＭＳ  ＡＣＣＥＳＳ  ＩＮＦＯＲＭＡＴＩＯＮに含めてもよく、他のメッセージとして予め報知されていてもよい。すなわち、Ｐｒｏｂａｂｉｌｉｔｙ  ｆａｃｔｏｒがアイドル状態移動局向けと接続状態ＵＥ１向けの２種類を用いる場合には、それぞれに対してパスロス値に基づいて異なるＰｒｏｂａｂｉｌｉｔｙ  ｆａｃｔｏｒを設定し、計４つとする。また、前記パスロス値の代わりに参照信号受信電力（RSRP）を用いることも可能である。
【００９９】
図１１は、本発明の第３の実施形態に係るＵＥ１におけるカウンティング応答の処理手順の一例を示したフローチャートである。ＵＥ１は、前記閾値情報を含むカウンティング信号を受信すると、図１におけるカウンティング応答信号生成部１０４において、上位レイヤから入力されるサービス要求信号に基づき、サービスを要求しているか否かの判断を行なう。（ステップＳ６０１）サービスを要求していない場合はフローを終了する。サービスを要求している場合、パスロス値と既定の閾値との比較の結果（ステップＳ６０２）、パスロス値が閾値未満の値である場合、セル内位置情報としてセル中心付近を示す符号を設定し、Ｐｒｏｂａｂｉｌｉｔｙ  ｆａｃｔｏｒもセル中心付近向けの値を設定する（ステップＳ６０３）。パスロス値が閾値以上の値である場合、セル内位置情報としてセル端付近を示す符号を設定し、Ｐｒｏｂａｂｉｌｉｔｙ  ｆａｃｔｏｒもセル端付近向けの値を設定する（ステップＳ６０４）。
【０１００】
次に、ステップＳ６０３あるいはステップＳ６０４で選択されたパスロス値から選択したＰｒｏｂａｂｉｌｉｔｙ  ｆａｃｔｏｒを基に自局がカウンティング応答信号を送信するか否かを判定する（ステップＳ６０５）。送信しない場合はフローを終了する。カウンティング応答信号を送信する場合、ステップＳ６０３またはステップＳ６０４で設定された符号をカウンティング応答信号に含めて図２の送信装置の送信信号処理部へ入力する（ステップＳ６０６）。以上が本実施形態におけるＵＥ１におけるカウンティング応答の処理手順である。
【０１０１】
次に、カウンティング応答を受信するＮＷ６０１におけるＭＢＭＳの提供方法の決定手順について説明を行なう。本実施形態におけるＭＢＭＳの提供方法の決定手順については第２の実施形態と同様に、ＮｕｍＥとＮｕｍＣの取得に関しての処理のみ異なるため、ＮｕｍＥとＮｕｍＣの取得に関する説明を行なう。まず、本実施形態における２つのＰｒｏｂａｂｉｌｉｔｙ  ｆａｃｔｏｒを同じ値とした場合には第１の実施形態と同様の結果が得られ、ＮｕｍＥ、ＮｕｍＣを取得することができる。また、２つのＰｒｏｂａｂｉｌｉｔｙ  ｆａｃｔｏｒのうち何れかを０とした場合、すなわち応答するＵＥ１がセル中心付近もしくはセル端付近の何れかにおいて存在しない場合には、第２の実施形態と同様の結果が得られる。ただし本実施形態では第１の実施形態と同様セル位置情報を示す符号をカウンティング応答信号に含めて送信するところが異なる。
【０１０２】
上記以外の設定では、セル端付近向けの応答確率をセル中心付近向けよりも高く設定することにより、ＮｕｍＥの算出のためにＰｒｏｂａｂｉｌｉｔｙ  ｆａｃｔｏｒを徐々に上げて再カウンティングを繰り返す頻度を軽減し、且つセル中心付近向けの応答確率を低くすることにより応答時の回線の輻輳も軽減することができる。セル中心付近向けの応答がない場合は、逆にセル端付近向けの応答確率を下げ中心付近向けの応答確率を上げることにより、効率的にＵＥ数を算出することができる。本実施形態により、ＮｕｍＣ、ＮｕｍＥの算出に必要なカウンティングの回数を低減し、応答時の回線の輻輳を軽減することができる。
【０１０３】
なお、以上説明した実施形態は単なる例示に過ぎず、様々な変形例、置換例を用いて実現することができる。説明の便宜上、実施形態の移動局および基地局を機能的なブロック図を用いて説明したが、ｅＮＢ３およびＵＥ１の各部の機能またはこれらの機能の一部を実現するためのプログラムをコンピュータ読み取り可能な記録媒体に記録して、この記録媒体に記録されたプログラムをコンピュータシステムに読み込ませ、実行することによりＵＥ１やｅＮＢ３の制御を行なってもよい。なお、ここでいう「コンピュータシステム」とは、ＯＳや周辺機器等のハードウェアを含むものとする。
【０１０４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１０５】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現してもよい。また、半導体技術の進歩によりＬＳＩに代替する集積回路化の技術が出現した場合、当該技術による集積回路を用いることも可能である。
【０１０６】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１０７】
１  移動局装置（ＵＥ）
３  ｅＮＢ
１００  受信装置
１０４  カウンティング応答信号生成部
２００  送信装置
３００  受信装置
３０３  カウンティング応答信号集計部
４００  送信装置
４０１  送信信号処理部
４０２  送信部
【図１】
2011061591.tif 000003
【図２】
2011061591.tif 000004
【図３】
2011061591.tif 000005
【図４】
2011061591.tif 000006
【図５】
2011061591.tif 000007
【図６】
2011061591.tif 000008
【図７】
2011061591.tif 000009
【図８】
2011061591.tif 000010
【図９】
2011061591.tif 000011
【図１０】
2011061591.tif 000012
【図１１】
2011061591.tif 000013
【図１２】
2011061591.tif 000014
【図１３】
2011061591.tif 000015